(57)【特許請求の範囲】
【請求項１】
発電デバイスと、前記発電デバイスと互いに着脱自在に接続することが可能な構成となっている複数の蓄電デバイスと、前記蓄電デバイスと互いに着脱自在に接続することが可能な構成となっている蓄電回収装置と、を含み、
前記発電デバイスは、発電する発電デバイスの発電部と、
前記発電デバイスの発電部により発電された電力を外部に供給する発電デバイスの電力供給部と、
を備え、
前記蓄電デバイスは、
前記発電デバイスの電力供給部から供給される電力を蓄電する蓄電デバイスの蓄電部と、
前記蓄電デバイスの蓄電部に蓄電された電力を外部に供給する蓄電デバイスの電力供給部と、
自己に設定された識別情報を記憶する蓄電デバイスの識別情報記憶部と、
を備え、
前記蓄電回収装置は、施設内に設けられており、
前記施設外において前記発電デバイスによって発電されて前記蓄電デバイスに蓄電された後に前記施設内に持ち込まれた前記蓄電デバイスと接続される毎に前記蓄電デバイスの電力供給部から供給される電力を蓄電する蓄電回収装置の蓄電部と、
前記施設内における負荷である施設内負荷に対して電源ケーブルを介して接続され、前記蓄電回収装置の蓄電部に蓄電された電力を前記電源ケーブルを介して供給する蓄電回収装置の電力供給部と、
前記蓄電デバイスの識別情報とそれに対応した蓄電量の情報を記憶する蓄電回収装置の記憶部と、
前記蓄電デバイスと接続された状態で前記蓄電デバイスの識別情報記憶部に記憶された蓄電デバイスの識別情報を読み取ることと、前記蓄電デバイスの電力供給部から供給されて前記蓄電回収装置の蓄電部に蓄電された蓄電量を検出することを行い、当該読み取った蓄電デバイスの識別情報と当該検出した蓄電量とを対応付けて前記蓄電回収装置の記憶部に記憶させる蓄電回収装置の制御部と、
を備える、
ことを特徴とする蓄電回収システム。
【請求項２】
さらに、管理装置を含み、
前記蓄電回収装置の制御部は、蓄電デバイスの識別情報と蓄電量とを対応付けた情報を前記管理装置に送信し、
前記管理装置は、前記蓄電デバイスの識別情報とそれに対応した蓄電量の情報を記憶する管理装置の蓄電情報記憶部と、
前記蓄電回収装置の制御部から送信された情報を受信し、当該受信した情報に基づいて前記蓄電デバイスの識別情報とそれに対応した蓄電量の情報を前記管理装置の蓄電情報記憶部に記憶させる管理装置の制御部と、
を備える、
ことを特徴とする請求項１に記載の蓄電回収システム。
【請求項３】
前記蓄電回収装置の制御部は、前記蓄電デバイスの電力供給部から供給されて前記蓄電回収装置の蓄電部に蓄電された蓄電量に対応するポイントを決定し、当該決定したポイントを前記蓄電デバイスの識別情報と対応付けて前記蓄電回収装置の記憶部に記憶させる、
ことを特徴とする請求項１または請求項２に記載の蓄電回収システム。
【請求項４】
さらに、管理装置を含み、
前記蓄電回収装置の制御部は、前記蓄電デバイスの電力供給部から供給されて前記蓄電回収装置の蓄電部に蓄電された蓄電量に対応するポイントを決定し、当該決定したポイントを前記蓄電デバイスの識別情報と対応付けて前記蓄電回収装置の記憶部に記憶させ、蓄電デバイスの識別情報とポイントとを対応付けた情報を前記管理装置に送信し、
前記管理装置は、
前記蓄電デバイスの識別情報とそれに対応したポイントの情報を記憶する管理装置のポイント情報記憶部と、
前記蓄電回収装置の制御部から送信された情報を受信し、当該受信した情報に基づいて前記蓄電デバイスの識別情報とそれに対応したポイントの情報を前記管理装置のポイント情報記憶部に記憶させる管理装置の制御部と、
を備える、
ことを特徴とする請求項１に記載の蓄電回収システム。
【請求項５】
前記蓄電回収装置は、さらに、
情報を表示する蓄電回収装置の情報表示部と、
を備え、
前記蓄電回収装置の制御部は、前記読み取った蓄電デバイスの識別情報と前記検出した蓄電量とを対応付けて前記蓄電回収装置の情報表示部に表示させる、
ことを特徴とする請求項１から請求項４のいずれか１項に記載の蓄電回収システム。
【請求項６】
蓄電デバイスが、発電された電力を蓄電し、当該蓄電された電力を、当該蓄電デバイスの識別情報とそれに対応した蓄電量の情報を記憶する蓄電回収装置に、供給する蓄電回収システムであって、発電デバイスと、前記発電デバイスと互いに着脱自在に接続することが可能な構成となっている複数の前記蓄電デバイスと、前記蓄電デバイスと互いに着脱自在に接続することが可能な構成となっている前記蓄電回収装置であって、施設内に設けられており、前記施設外において前記発電デバイスによって発電されて前記蓄電デバイスに蓄電された後に前記施設内に持ち込まれた前記蓄電デバイスと接続される毎に前記蓄電デバイスの電力供給部から供給される電力を蓄電する蓄電回収装置の蓄電部と、前記施設内における負荷である施設内負荷に対して電源ケーブルを介して接続され、前記蓄電回収装置の蓄電部に蓄電された電力を前記電源ケーブルを介して供給する蓄電回収装置の電力供給部と、を備える前記蓄電回収装置を含む蓄電回収システムで使用される当該蓄電デバイスであって、
前記発電デバイスの発電部により発電され、前記発電デバイスの電力供給部から供給される電力を蓄電する蓄電デバイスの蓄電部と、
前記蓄電デバイスの蓄電部に蓄電された電力を外部に供給する蓄電デバイスの電力供給部と、
自己に設定された識別情報を記憶する蓄電デバイスの識別情報記憶部と、
を備える、
ことを特徴とする蓄電デバイス。
【請求項７】
蓄電デバイスが、発電された電力を蓄電し、当該蓄電された電力を、当該蓄電デバイスの識別情報とそれに対応した蓄電量の情報を記憶する蓄電回収装置に、供給する蓄電回収システムであって、発電デバイスと、前記発電デバイスと互いに着脱自在に接続することが可能な構成となっている複数の前記蓄電デバイスと、前記蓄電デバイスと互いに着脱自在に接続することが可能な構成となっている前記蓄電回収装置と、を含む蓄電回収システムで使用される当該蓄電回収装置であって、
施設内に設けられており、
前記施設外において前記発電デバイスによって発電されて前記蓄電デバイスに蓄電された後に前記施設内に持ち込まれた前記蓄電デバイスと接続される毎に前記蓄電デバイスの電力供給部から供給される電力を蓄電する蓄電回収装置の蓄電部と、
前記施設内における負荷である施設内負荷に対して電源ケーブルを介して接続され、前記蓄電回収装置の蓄電部に蓄電された電力を前記電源ケーブルを介して供給する蓄電回収装置の電力供給部と、
前記蓄電デバイスの識別情報とそれに対応した蓄電量の情報を記憶する蓄電回収装置の記憶部と、
前記蓄電デバイスと接続された状態で前記蓄電デバイスの識別情報記憶部に記憶された蓄電デバイスの識別情報を読み取ることと、前記蓄電デバイスの電力供給部から供給されて前記蓄電回収装置の蓄電部に蓄電された蓄電量を検出することを行い、当該読み取った蓄電デバイスの識別情報と当該検出した蓄電量とを対応付けて前記蓄電回収装置の記憶部に記憶させる蓄電回収装置の制御部と、
を備える、
ことを特徴とする蓄電回収装置。
【請求項８】
発電デバイスと、前記発電デバイスと互いに着脱自在に接続することが可能な構成となっている複数の蓄電デバイスと、前記蓄電デバイスと互いに着脱自在に接続することが可能な構成となっている蓄電回収装置と、を含む蓄電回収システムにおける蓄電回収方法であって、
前記発電デバイスは、
前記発電デバイスの発電部により発電された電力を発電デバイスの電力供給部によって外部に供給し、
前記蓄電デバイスは、
前記発電デバイスの電力供給部から供給される電力を蓄電デバイスの蓄電部によって蓄電し、前記蓄電デバイスの蓄電部に蓄電された電力を蓄電デバイスの電力供給部によって外部に供給し、
前記蓄電回収装置は、施設内に設けられており、
前記施設外において前記発電デバイスによって発電されて前記蓄電デバイスに蓄電された後に前記施設内に持ち込まれた前記蓄電デバイスと接続される毎に前記蓄電デバイスの電力供給部から供給される電力を蓄電回収装置の蓄電部によって蓄電し、
前記蓄電回収装置の蓄電部に蓄電された電力を前記施設内における負荷である施設内負荷に対して電源ケーブルを介して接続された蓄電回収装置の電力供給部によって前記電源ケーブルを介して供給し、
蓄電回収装置の制御部によって、前記蓄電デバイスと接続された状態で前記蓄電デバイスの識別情報記憶部に記憶された蓄電デバイスの識別情報を読み取ることと、前記蓄電デバイスの電力供給部から供給されて前記蓄電回収装置の蓄電部に蓄電された蓄電量を検出することを行い、当該読み取った蓄電デバイスの識別情報と当該検出した蓄電量とを対応付けて前記蓄電回収装置の記憶部に記憶させる、
ことを特徴とする蓄電回収方法。
【発明の詳細な説明】
【技術分野】
【０００１】
本発明は、蓄電回収システム、蓄電デバイス、蓄電回収装置および蓄電回収方法に関する。
【背景技術】
【０００２】
蓄電設備と、前記蓄電設備の電力情報を管理する管理サーバーと、からなる蓄電設備管理システムが知られている（特許文献１参照。）。
【先行技術文献】
【特許文献】
【０００３】
【特許文献１】特開２０１０−１３４９６４号公報
【発明の概要】
【発明が解決しようとする課題】
【０００４】
しかしながら、特許文献１に記載された蓄電設備管理システムでは、個人に対して省エネルギー（省エネ）のために楽しく節電することを促すことができなかった。
【０００５】
本発明は、上記問題を解決すべくなされたもので、その目的は、個人に対して省エネルギー（省エネ）のために節電することを促すことができる蓄電回収システム、蓄電デバイス、蓄電回収装置および蓄電回収方法を提供することにある。
【課題を解決するための手段】
【０００６】
（１）上記問題を解決するために、本発明は、発電デバイスと、前記発電デバイスと互いに着脱自在に接続することが可能な構成となっている複数の蓄電デバイスと、前記蓄電デバイスと互いに着脱自在に接続することが可能な構成となっている蓄電回収装置と、を含み、前記発電デバイスは、発電する発電デバイスの発電部と、前記発電デバイスの発電部により発電された電力を外部に供給する発電デバイスの電力供給部と、を備え、前記蓄電デバイスは、前記発電デバイスの電力供給部から供給される電力を蓄電する蓄電デバイスの蓄電部と、前記蓄電デバイスの蓄電部に蓄電された電力を外部に供給する蓄電デバイスの電力供給部と、自己に設定された識別情報を記憶する蓄電デバイスの識別情報記憶部と、を備え、前記蓄電回収装置は、施設内に設けられており、前記施設外において前記発電デバイスによって発電されて前記蓄電デバイスに蓄電された後に前記施設内に持ち込まれた前記蓄電デバイスと接続される毎に前記蓄電デバイスの電力供給部から供給される電力を蓄電する蓄電回収装置の蓄電部と、前記施設内における負荷である施設内負荷に対して電源ケーブルを介して接続され、前記蓄電回収装置の蓄電部に蓄電された電力を前記電源ケーブルを介して供給する蓄電回収装置の電力供給部と、前記蓄電デバイスの識別情報とそれに対応した蓄電量の情報を記憶する蓄電回収装置の記憶部と、前記蓄電デバイスと接続された状態で前記蓄電デバイスの識別情報記憶部に記憶された蓄電デバイスの識別情報を読み取ることと、前記蓄電デバイスの電力供給部から供給されて前記蓄電回収装置の蓄電部に蓄電された蓄電量を検出することを行い、当該読み取った蓄電デバイスの識別情報と当該検出した蓄電量とを対応付けて前記蓄電回収装置の記憶部に記憶させる蓄電回収装置の制御部と、を備える、ことを特徴とする蓄電回収システムである。
【０００７】
（２）また、本発明は、さらに、管理装置を含み、前記蓄電回収装置の制御部は、蓄電デバイスの識別情報と蓄電量とを対応付けた情報を前記管理装置に送信し、前記管理装置は、前記蓄電デバイスの識別情報とそれに対応した蓄電量の情報を記憶する管理装置の蓄電情報記憶部と、前記蓄電回収装置の制御部から送信された情報を受信し、当該受信した情報に基づいて前記蓄電デバイスの識別情報とそれに対応した蓄電量の情報を前記管理装置の蓄電情報記憶部に記憶させる管理装置の制御部と、を備える、ことを特徴とする上記（１）に記載の蓄電回収システムである。
【０００９】
（３）また、本発明は、前記蓄電回収装置の制御部は、前記蓄電デバイスの電力供給部から供給されて前記蓄電回収装置の蓄電部に蓄電された蓄電量に対応するポイントを決定し、当該決定したポイントを前記蓄電デバイスの識別情報と対応付けて前記蓄電回収装置の記憶部に記憶させる、ことを特徴とする上記（１）または上記（２）に記載の蓄電回収システムである。
【００１０】
（４）また、本発明は、さらに、管理装置を含み、前記蓄電回収装置の制御部は、前記蓄電デバイスの電力供給部から供給されて前記蓄電回収装置の蓄電部に蓄電された蓄電量に対応するポイントを決定し、当該決定したポイントを前記蓄電デバイスの識別情報と対応付けて前記蓄電回収装置の記憶部に記憶させ、蓄電デバイスの識別情報とポイントとを対応付けた情報を前記管理装置に送信し、前記管理装置は、前記蓄電デバイスの識別情報とそれに対応したポイントの情報を記憶する管理装置のポイント情報記憶部と、前記蓄電回収装置の制御部から送信された情報を受信し、当該受信した情報に基づいて前記蓄電デバイスの識別情報とそれに対応したポイントの情報を前記管理装置のポイント情報記憶部に記憶させる管理装置の制御部と、を備える、ことを特徴とする上記（１）に記載の蓄電回収システムである。
【００１１】
（５）また、本発明は、前記蓄電回収装置は、さらに、情報を表示する蓄電回収装置の情報表示部と、を備え、前記蓄電回収装置の制御部は、前記読み取った蓄電デバイスの識別情報と前記検出した蓄電量とを対応付けて前記蓄電回収装置の情報表示部に表示させる、ことを特徴とする上記（１）から上記（４）のいずれか１つに記載の蓄電回収システムである。
【００１２】
（６）上記問題を解決するために、本発明は、蓄電デバイスが、発電された電力を蓄電し、当該蓄電された電力を、当該蓄電デバイスの識別情報とそれに対応した蓄電量の情報を記憶する蓄電回収装置に、供給する蓄電回収システムであって、発電デバイスと、前記発電デバイスと互いに着脱自在に接続することが可能な構成となっている複数の前記蓄電デバイスと、前記蓄電デバイスと互いに着脱自在に接続することが可能な構成となっている前記蓄電回収装置であって、施設内に設けられており、前記施設外において前記発電デバイスによって発電されて前記蓄電デバイスに蓄電された後に前記施設内に持ち込まれた前記蓄電デバイスと接続される毎に前記蓄電デバイスの電力供給部から供給される電力を蓄電する蓄電回収装置の蓄電部と、前記施設内における負荷である施設内負荷に対して電源ケーブルを介して接続され、前記蓄電回収装置の蓄電部に蓄電された電力を前記電源ケーブルを介して供給する蓄電回収装置の電力供給部と、を備える前記蓄電回収装置を含む蓄電回収システムで使用される当該蓄電デバイスであって、前記発電デバイスの発電部により発電され、前記発電デバイスの電力供給部から供給される電力を蓄電する蓄電デバイスの蓄電部と、前記蓄電デバイスの蓄電部に蓄電された電力を外部に供給する蓄電デバイスの電力供給部と、自己に設定された識別情報を記憶する蓄電デバイスの識別情報記憶部と、を備える、ことを特徴とする蓄電デバイスである。
【００１３】
（７）上記問題を解決するために、本発明は、蓄電デバイスが、発電された電力を蓄電し、当該蓄電された電力を、当該蓄電デバイスの識別情報とそれに対応した蓄電量の情報を記憶する蓄電回収装置に、供給する蓄電回収システムであって、発電デバイスと、前記発電デバイスと互いに着脱自在に接続することが可能な構成となっている複数の前記蓄電デバイスと、前記蓄電デバイスと互いに着脱自在に接続することが可能な構成となっている前記蓄電回収装置と、を含む蓄電回収システムで使用される当該蓄電回収装置であって、施設内に設けられており、前記施設外において前記発電デバイスによって発電されて前記蓄電デバイスに蓄電された後に前記施設内に持ち込まれた前記蓄電デバイスと接続される毎に前記蓄電デバイスの電力供給部から供給される電力を蓄電する蓄電回収装置の蓄電部と、前記施設内における負荷である施設内負荷に対して電源ケーブルを介して接続され、前記蓄電回収装置の蓄電部に蓄電された電力を前記電源ケーブルを介して供給する蓄電回収装置の電力供給部と、前記蓄電デバイスの識別情報とそれに対応した蓄電量の情報を記憶する蓄電回収装置の記憶部と、前記蓄電デバイスと接続された状態で前記蓄電デバイスの識別情報記憶部に記憶された蓄電デバイスの識別情報を読み取ることと、前記蓄電デバイスの電力供給部から供給されて前記蓄電回収装置の蓄電部に蓄電された蓄電量を検出することを行い、当該読み取った蓄電デバイスの識別情報と当該検出した蓄電量とを対応付けて前記蓄電回収装置の記憶部に記憶させる蓄電回収装置の制御部と、を備える、ことを特徴とする蓄電回収装置である。
【００１４】
（８）上記問題を解決するために、本発明は、発電デバイスと、前記発電デバイスと互いに着脱自在に接続することが可能な構成となっている複数の蓄電デバイスと、前記蓄電デバイスと互いに着脱自在に接続することが可能な構成となっている蓄電回収装置と、を含む蓄電回収システムにおける蓄電回収方法であって、前記発電デバイスは、前記発電デバイスの発電部により発電された電力を発電デバイスの電力供給部によって外部に供給し、前記蓄電デバイスは、前記発電デバイスの電力供給部から供給される電力を蓄電デバイスの蓄電部によって蓄電し、前記蓄電デバイスの蓄電部に蓄電された電力を蓄電デバイスの電力供給部によって外部に供給し、前記蓄電回収装置は、施設内に設けられており、前記施設外において前記発電デバイスによって発電されて前記蓄電デバイスに蓄電された後に前記施設内に持ち込まれた前記蓄電デバイスと接続される毎に前記蓄電デバイスの電力供給部から供給される電力を蓄電回収装置の蓄電部によって蓄電し、前記蓄電回収装置の蓄電部に蓄電された電力を前記施設内における負荷である施設内負荷に対して電源ケーブルを介して接続された蓄電回収装置の電力供給部によって前記電源ケーブルを介して供給し、蓄電回収装置の制御部によって、前記蓄電デバイスと接続された状態で前記蓄電デバイスの識別情報記憶部に記憶された蓄電デバイスの識別情報を読み取ることと、前記蓄電デバイスの電力供給部から供給されて前記蓄電回収装置の蓄電部に蓄電された蓄電量を検出することを行い、当該読み取った蓄電デバイスの識別情報と当該検出した蓄電量とを対応付けて前記蓄電回収装置の記憶部に記憶させる、ことを特徴とする蓄電回収方法である。
【発明の効果】
【００１５】
この発明によれば、個人に対して省エネルギー（省エネ）のために節電することを促すことができる。
【図面の簡単な説明】
【００１６】
【図１】本発明の第１の実施形態に係る蓄電回収システムの構成を示す概略ブロック図である。
【図２】一例に係る発電グッズの構成を示す概略ブロック図である。
【図３】他の一例に係る発電グッズの構成を示す概略ブロック図である。
【図４】蓄電カードの構成を示す概略ブロック図である。
【図５】蓄電回収箱の構成を示す概略ブロック図である。
【図６】充放電ユニットの構成を示す概略ブロック図である。
【図７】ポイント利用装置の構成を示す概略ブロック図である。
【図８】管理サーバーの構成を示す概略ブロック図である。
【図９】蓄電グッズから蓄電カードへの蓄電の際に行われる動作の例を示すフローチャート図である。
【図１０】蓄電カードから蓄電回収箱への蓄電の際に行われる動作の例を示すフローチャート図である。
【図１１】蓄電回収箱から管理サーバーへの情報交換の際に行われる動作の例を示すフローチャート図である。
【図１２】管理サーバーの蓄電情報データベースに記憶される情報の一例を示す図である。
【図１３】管理サーバーのポイント情報データベースに記憶される情報の一例を示す図である。
【図１４】管理サーバーのその他情報データベースに記憶される情報の一例を示す図である。
【図１５】管理サーバーのその他情報データベースに記憶される情報の他の一例を示す図である。
【図１６】本発明の第２の実施形態に係る蓄電回収システムにおける蓄電回収箱の構成を示す概略ブロック図である。
【図１７】店内滞在時間と購買額の関係を示すグラフの一例である。
【発明を実施するための形態】
【００１７】
以下、図面を参照して、本発明の実施形態における蓄電回収システム１１、蓄電デバイス（本実施形態では、蓄電カード２−１〜２−（Ｎ＋１））、蓄電回収箱３および蓄電回収方法を説明する。
なお、蓄電回収方法は、蓄電回収システム１１により行われる方法である。
【００１８】
［第１の実施形態］
図１は、本発明の第１の実施形態に係る蓄電回収システム１１の構成を示す概略ブロック図である。
本実施形態に係る蓄電回収システム１１は、複数の発電グッズ（発電デバイスの一例）１−１〜１−Ｎと、複数の蓄電カード（蓄電デバイスの一例）２−１〜２−Ｎ、２−（Ｎ＋１）と、蓄電回収箱（蓄電回収装置の一例）３と、管理サーバー（管理装置の一例）４と、充放電ユニット（蓄電回収装置の他の一例）５と、ポイント利用装置６と、施設内負荷７と、を備える。
【００１９】
ここで、発電グッズ１−１〜１−Ｎの数は、任意であってもよく、図１では、Ｎ（Ｎは複数値）個の発電グッズ１−１〜１−Ｎを示す。
また、蓄電カード２−１〜２−Ｎ、２−（Ｎ＋１）の数は、任意であってもよく、図１では、（Ｎ＋１）個の蓄電カード２−１〜２−Ｎ、２−（Ｎ＋１）を示す。
【００２０】
また、蓄電回収箱３の数は、図１では１個の蓄電回収箱３を示すが、任意の複数個備えられてもよい。
また、充放電ユニット５の数は、図１では１個の充放電ユニット５を示すが、任意の複数個備えられてもよい。
また、ポイント利用装置６の数は、図１では１個のポイント利用装置６を示すが、任意の複数個備えられてもよい。
【００２１】
また、管理サーバー４の数は、本実施形態では、予備等を除いては１個であるが、これに限定されず、例えば、管理サーバー４の機能が複数の装置に分散されて構成されてもよい。
【００２２】
まず、本実施形態に係る蓄電回収システム１１における概略的な構成および動作の例を示す。
本実施形態では、発電グッズ１−１〜１−Ｎや蓄電カード２−１〜２−（Ｎ＋１）は、特定のスーパーマーケット（スーパー）における複数の顧客（本実施形態では、個人）により所持される。蓄電回収箱３は、そのスーパーに設置される。ポイント利用装置６は、そのスーパーに設置され、例えば、キャッシュレジスター（レジ）の近くに、または、レジと一体化されて、設置される。施設内負荷７は、そのスーパーにおける負荷である。管理サーバー４は、任意の場所に設置され、例えば、そのスーパーに設置される。充放電ユニット５は、各顧客の自宅などで使用される。
【００２３】
ここで、本実施形態では、特定のスーパーマーケット（スーパー）における複数の顧客を、蓄電カード２−１〜２−（Ｎ＋１）を所持する会員としたが、蓄電カード２−１〜２−（Ｎ＋１）を所持する者の範囲は、任意に定められてもよい。
例えば、１つのスーパーにおける複数の顧客を、蓄電カード２−１〜２−（Ｎ＋１）を所持する会員とすること、あるいは、複数のスーパーにおける複数の顧客を、蓄電カード２−１〜２−（Ｎ＋１）を所持する会員とすること、ができる。また、スーパー以外の特定の施設を使用する複数の者を、蓄電カード２−１〜２−（Ｎ＋１）を所持する会員とすることもできる。
【００２４】
発電グッズ１−１〜１−Ｎと蓄電カード２−１〜２−（Ｎ＋１）とは、接触または非接触で充放電が可能である構成が用いられる。
一例として、発電グッズ１−１〜１−Ｎと蓄電カード２−１〜２−（Ｎ＋１）は、蓄電カード２−１〜２−（Ｎ＋１）を発電グッズ１−１〜１−Ｎに差し込む（挿入する）形態のように、互いに着脱自在に接続することが可能な構成となっている。
蓄電カード２−１〜２−（Ｎ＋１）と蓄電回収箱３とは、接触または非接触で充放電が可能である構成が用いられる。
一例として、蓄電カード２−１〜２−（Ｎ＋１）と蓄電回収箱３は、蓄電カード２−１〜２−（Ｎ＋１）を蓄電回収箱３に差し込む（挿入する）形態のように、互いに着脱自在に接続することが可能な構成となっている。
蓄電カード２−１〜２−（Ｎ＋１）と充放電ユニット５とは、接触または非接触で充放電が可能である構成が用いられる。
一例として、蓄電カード２−１〜２−（Ｎ＋１）と充放電ユニット５は、蓄電カード２−１〜２−（Ｎ＋１）を充放電ユニット５に差し込む（挿入する）形態のように、互いに着脱自在に接続することが可能な構成となっている。
【００２５】
また、蓄電カード２−１〜２−（Ｎ＋１）とポイント利用装置６は、接触または非接触で、互いに通信することが可能な構成となっている。
また、蓄電回収箱３と施設内負荷７は、電力を伝送する電源ケーブルで接続されている。
また、蓄電回収箱３と充放電ユニット５とポイント利用装置６は、それぞれ、管理サーバー４と、例えば、専用または公衆の通信回線を介して接続されている。公衆の通信回線としては、例えば、インターネットの通信回線を用いることができる。
【００２６】
各発電グッズ１−１〜１−Ｎは、人の運動により発生するエネルギーまたは自然のエネルギーなどによって発電し、発電した電力を、例えば接続された蓄電カード２−１〜２−（Ｎ＋１）に供給する。
【００２７】
各蓄電カード２−１〜２−（Ｎ＋１）は、例えば接続された発電グッズ１−１〜１−Ｎから供給される電力を受電し、受電した電力を蓄電し、蓄電した電力を蓄電回収箱３または充放電ユニット５に供給する。
また、各蓄電カード２−１〜２−（Ｎ＋１）は、自己の蓄電カードの識別情報（ＩＤ）を記憶し、また、蓄電回収箱３または充放電ユニット５と通信し、蓄電量の情報やポイントの情報を記憶する。
【００２８】
蓄電回収箱３は、蓄電カード２−１〜２−（Ｎ＋１）から供給される電力を受電し、受電した電力を蓄電し、蓄電した電力を施設内負荷７に供給する。
また、蓄電回収箱３は、所定の情報を記憶し、所定の情報を表示する。
また、蓄電回収箱３は、蓄電カード２−１〜２−（Ｎ＋１）と通信し、管理サーバー４と通信する。
【００２９】
充放電ユニット５は、蓄電カード２−１〜２−（Ｎ＋１）から供給される電力を受電し、受電した電力を蓄電し、蓄電した電力を外部に供給する。
また、充放電ユニット５は、所定の情報を記憶し、所定の情報を表示する。
また、充放電ユニット５は、蓄電カード２−１〜２−（Ｎ＋１）と通信し、管理サーバー４と通信する。
【００３０】
ポイント利用装置６は、蓄電カード２−１〜２−（Ｎ＋１）と通信し、蓄電カード２−１〜２−（Ｎ＋１）に記憶された情報の読み出しや、蓄電カード２−１〜２−（Ｎ＋１）に記憶される情報の書き込みを行う。
また、ポイント利用装置６は、管理サーバー４と通信する。
【００３１】
管理サーバー４は、蓄電回収箱３と通信し、充放電ユニット５と通信し、ポイント利用装置６と通信する。
また、管理サーバー４は、蓄電に関する情報や、ポイントに関する情報や、その他の情報を記憶する。
【００３２】
次に、本実施形態に係る蓄電回収システム１１における各装置のより詳しい構成および動作の例を示す。
図２は、一例に係る発電グッズ１−１の構成を示す概略ブロック図である。
図３は、他の一例に係る発電グッズ１−２の構成を示す概略ブロック図である。
ここで、他の発電グッズ１−３〜１−Ｎについては、図２に示される構成であってもよく、あるいは、図３に示される構成であってもよく、または、他の構成であってもよい。
【００３３】
図２に示される発電グッズ１−１について説明する。
この発電グッズ１−１は、人（例えば、顧客など）の運動により発生するエネルギーによって発電する回転系のものであり、例えば、エアロバイクなどである。また、回転系の例としては、風力発電や水力発電がある。
この発電グッズ１−１は、ＡＣ／ＤＣ変換部１０１と、電力受電部１０２と、電力供給部１０３と、通信インターフェース１０４と、制御部１０５と、を備える。
【００３４】
ＡＣ／ＤＣ変換部１０１（発電部の一例）は、例えばモータを用いて構成されている。ＡＣ／ＤＣ変換部１０１は、人の運動により発生するエネルギーによって生ぜられる当該モータの回転により発電し、発電した電力を電力受電部１０２に出力する。この場合に、ＡＣ／ＤＣ変換部１０１は、モータの回転により発生する交流（ＡＣ）の電力を直流（ＤＣ）の電力へ変換して、電力受電部１０２に出力する。
【００３５】
電力受電部１０２は、ＡＣ／ＤＣ変換部１０１から入力される電力を受電し、受電した電力を電力供給部１０３に出力する。
電力供給部１０３は、電力受電部１０２から入力される電力を外部に出力する。
ここで、本実施形態では、発電グッズ１−１と蓄電カード２−１〜２−（Ｎ＋１）とが接続された状態で、人の運動が行われる使用方法が用いられる。この場合、発電グッズ１−１の電力供給部１０３から出力される電力は、当該発電グッズ１−１に接続された蓄電カード２−１〜２−（Ｎ＋１）に出力される。
【００３６】
通信インターフェース１０４は、外部の装置との間で信号を通信する。
本実施形態では、通信インターフェース１０４は、蓄電カード２−１〜２−（Ｎ＋１）との間で接続して通信を行うインターフェースを有する。
【００３７】
また、本実施形態では、発電グッズ１−１を制御するための外部の装置があり、当該外部の装置が、発電により得られる電力を蓄電カード２−１〜２−（Ｎ＋１）に蓄電する指示を示す信号や、発電により得られる電力を蓄電せずに外部へ放出する指示を示す信号などを、通信インターフェース１０４に対して送信する。通信インターフェース１０４は、このような信号を受信する。
なお、このような外部の装置は、例えば、発電グッズ１−１に接続される蓄電カード２−１〜２−（Ｎ＋１）であってもよく、または、他の装置であってもよい。
【００３８】
制御部１０５は、発電グッズ１−１における各種の制御を行い、例えば、通信インターフェース１０４を介して外部の装置との間で通信する際の制御や、外部の装置から受信した信号に従った処理を実行する際の制御、などを行う。
なお、通信インターフェース１０４や制御部１０５は、必ずしも備えられなくてもよい。
【００３９】
図３に示される発電グッズ１−２について説明する。
この発電グッズ１−２は、自然のエネルギーによって発電するＤＣ系のものであり、例えば、太陽光発電を用いたものなどである。
この発電グッズ１−２は、ＤＣ／ＤＣ変換部１１１と、電力受電部１１２と、電力供給部１１３と、通信インターフェース１１４と、制御部１１５と、を備える。
【００４０】
ＤＣ／ＤＣ変換部１１１（発電部の他の一例）は、例えば太陽電池などを用いて構成されており、発電部として機能する。ＤＣ／ＤＣ変換部１１１は、自然のエネルギーによって発電し、発電した電力を電力受電部１１２に出力する。この場合に、ＤＣ／ＤＣ変換部１１１は、発電により発生する直流（ＤＣ）の電力を、異なるレベルの直流（ＤＣ）の電力へ変換して、電力受電部１１２に出力する。
【００４１】
電力受電部１１２は、ＤＣ／ＤＣ変換部１１１から入力される電力を受電し、受電した電力を電力供給部１１３に出力する。
電力供給部１１３は、電力受電部１１２から入力される電力を外部に出力する。
ここで、本実施形態では、発電グッズ１−２と蓄電カード２−１〜２−（Ｎ＋１）とが接続された状態で、自然のエネルギーによる発電が行われる使用方法が用いられる。この場合、発電グッズ１−２の電力供給部１１３から出力される電力は、当該発電グッズ１−２に接続された蓄電カード２−１〜２−（Ｎ＋１）に出力される。
【００４２】
通信インターフェース１１４は、外部の装置との間で信号を通信する。
本実施形態では、通信インターフェース１１４は、蓄電カード２−１〜２−（Ｎ＋１）との間で接続して通信を行うインターフェースを有する。
【００４３】
また、本実施形態では、発電グッズ１−２を制御するための外部の装置があり、当該外部の装置が、発電により得られる電力を蓄電カード２−１〜２−（Ｎ＋１）に蓄電する指示を示す信号や、発電により得られる電力を蓄電せずに外部へ放出する指示を示す信号や、最も効率良く発電することができるように太陽電池などを制御する指示を示す信号などを、通信インターフェース１１４に対して送信する。通信インターフェース１１４は、このような信号を受信する。
なお、このような外部の装置は、例えば、発電グッズ１−２に接続される蓄電カード２−１〜２−（Ｎ＋１）であってもよく、または、他の装置であってもよい。
【００４４】
制御部１１５は、発電グッズ１−２における各種の制御を行い、例えば、通信インターフェース１１４を介して外部の装置との間で通信する際の制御や、外部の装置から受信した信号に従った処理を実行する際の制御、などを行う。
なお、通信インターフェース１１４や制御部１１５は、必ずしも備えられなくてもよい。
【００４５】
図４は、蓄電カード２−１の構成を示す概略ブロック図である。
ここで、他の蓄電カード２−２〜２−（Ｎ＋１）についても、図４に示される蓄電カード２−１と同様な構成を有しており、同様な動作を行う。
【００４６】
蓄電カード２−１は、電力受電部１２１と、蓄電部１２２と、電力供給部１２３と、ＩＤメモリ（識別情報記憶部の一例）１２４と、蓄電量メモリ１２５と、ポイントメモリ１２６と、通信インターフェース１２７と、制御部１２８と、を備える。
本実施形態では、蓄電カード２−１は、発電グッズ１−１〜１−Ｎと接続され、接続された発電グッズ１−１〜１−Ｎから出力される電力を受電する。
【００４７】
電力受電部１２１は、この蓄電カード２−１に接続された発電グッズ１−１〜１−Ｎから出力される電力を受電し、受電した電力を蓄電部１２２に出力する。
蓄電部１２２は、例えば、蓄電（充電）と放電が可能なバッテリから構成されており、電力受電部１２１から入力される電力を蓄電する。
また、蓄電部１２２は、蓄電した電力を電力供給部１２３に出力する。
【００４８】
電力供給部１２３は、蓄電部１２２から入力される電力を外部に出力する。
ここで、本実施形態では、蓄電回収箱３または充放電ユニット５と蓄電カード２−１とが接続された状態で、当該蓄電カード２−１の電力供給部１２３から当該蓄電回収箱３または当該充放電ユニット５に電力が出力される。
【００４９】
ＩＤメモリ１２４は、自己の蓄電カード２−１の識別情報（ＩＤ）を記憶する。
本実施形態では、各蓄電カード２−１〜２−（Ｎ＋１）が顧客に渡されるときには、あらかじめＩＤメモリ１２４にＩＤが設定されて記憶されている。
【００５０】
ここで、本実施形態では、各蓄電カード２−１〜２−（Ｎ＋１）に、各々に固有なＩＤが設定されている。そして、各顧客が１個の蓄電カード２−１〜２−（Ｎ＋１）を所持する場合には、各蓄電カード２−１〜２−（Ｎ＋１）のＩＤにより各顧客を識別することも可能である。
なお、他の例として、２個以上の蓄電カード２−１〜２−（Ｎ＋１）に同一のＩＤが設定される構成や、１人の顧客が２個以上の蓄電カード２−１〜２−（Ｎ＋１）を所持する構成が用いられてもよい。
【００５１】
蓄電量メモリ１２５は、自己の蓄電カード２−１の蓄電部１２２に蓄電されている蓄電量（現在の蓄電量）を記憶する。
この蓄電量メモリ１２５に記憶される蓄電量としては、本実施形態では、制御部１２８により検出（例えば、算出）された蓄電量を用いる。
なお、他の例として、蓄電回収箱３または充放電ユニット５により検出（例えば、算出）された蓄電量を、対応する蓄電カード２−１〜２−（Ｎ＋１）の蓄電量メモリ１２５に記憶する構成が用いられてもよい。
【００５２】
ポイントメモリ１２６は、自己の蓄電カード２−１に付与されているポイント（現在のポイント）を記憶する。
このポイントメモリ１２６に記憶されるポイントとしては、本実施形態では、蓄電回収箱３または充放電ユニット５により算出されたポイントを用いる。
【００５３】
通信インターフェース１２７は、外部の装置との間で信号を通信する。
本実施形態では、通信インターフェース１２７は、発電グッズ１−１〜１−Ｎとの間で接続して通信を行うインターフェースや、蓄電回収箱３との間で接続して通信を行うインターフェースや、充放電ユニット５との間で接続して通信を行うインターフェースや、ポイント利用装置６との間で接触または非接触で通信を行うインターフェースを有する。
【００５４】
制御部１２８は、蓄電カード２−１における各種の制御を行い、例えば、通信インターフェース１２７を介して外部の装置との間で通信する際の制御や、外部の装置から受信した信号に従った処理を実行する際の制御や、自己の蓄電カード２−１においてあらかじめ定められた処理を実行する際の制御、などを行う。
【００５５】
具体例として、制御部１２８は、ＩＤメモリ１２４や蓄電量メモリ１２５やポイントメモリ１２６の制御や、蓄電部１２２に対する蓄電（充電）や蓄電部１２２からの放電の制御を行う。蓄電部１２２に対する蓄電の制御としては、例えば、発電グッズ１−１〜１−Ｎから電力が供給される場合に蓄電部１２２に対する蓄電を開始させる制御や、蓄電部１２２の蓄電量が所定の第１の閾値以上になったときに蓄電を停止させる制御がある。蓄電部１２２からの放電の制御としては、例えば、蓄電部１２２の蓄電量が所定の第２の閾値未満になったときに放電を停止させる制御がある。
なお、前記した第１の閾値と第２の閾値は、同じ値であってもよく、または、異なる値であってもよい。
【００５６】
また、本実施形態では、制御部１２８は、蓄電部１２２に蓄電されている蓄電量（現在の蓄電量）を検出（例えば、算出）して、検出した蓄電量を蓄電量メモリ１２５に記憶する。
【００５７】
図５は、蓄電回収箱３の構成を示す概略ブロック図である。
蓄電回収箱３は、電力受電部１３１と、蓄電部１３２と、電力供給部１３３と、メモリ１３４（記憶部の一例であり、蓄電に関する情報の記憶部（蓄電情報記憶部）と、ポイントに関する情報の記憶部（ポイント情報記憶部）を含む）と、情報表示部１３５と、通信インターフェース１３６と、制御部１３７と、を備える。
【００５８】
電力受電部１３１は、この蓄電回収箱３に接続された蓄電カード２−１〜２−（Ｎ＋１）から出力される電力を受電し、受電した電力を蓄電部１３２に出力する。
蓄電部１３２は、例えば、蓄電（充電）と放電が可能なバッテリから構成されており、電力受電部１３１から入力される電力を蓄電する。
また、蓄電部１３２は、蓄電した電力を電力供給部１３３に出力する。
【００５９】
電力供給部１３３は、蓄電部１３２から入力される電力を外部に出力する。
ここで、本実施形態では、蓄電回収箱３の電力供給部１３３と施設内負荷７とが電源ケーブルを介して接続された状態で、当該蓄電回収箱３の電力供給部１３３から当該電源ケーブルを介して当該施設内負荷７に電力が出力（放電）される。
【００６０】
なお、蓄電回収箱３において、負荷消費量は、例えば、スーパーの店内の照明やディスプレイなどが消費する電力量を表す。本実施形態では、このような照明やディスプレイなどを施設内負荷７として蓄電回収箱３の電力供給部１３３と繋いで、当該蓄電回収箱３に貯まった電力を当該施設内負荷７により消費させる。これにより、蓄電回収箱３に貯まった電力を有効に利用することができる。
また、蓄電回収箱３において、蓄電放出量は、貯めた（蓄電した）蓄電量を消費のために放出する電力量を表す。
概念的には、蓄電放出量（電力）を負荷消費量に使用するイメージであり、実際には、充放電のロスが生じ得るため、１００％の利用ができないことが生じ得る。
【００６１】
通信インターフェース１３６は、外部の装置との間で信号を通信する。
本実施形態では、通信インターフェース１３６は、蓄電カード２−１〜２−（Ｎ＋１）との間で接続して通信を行うインターフェースや、管理サーバー４との間で通信を行うインターフェースを有する。
【００６２】
制御部１３７は、蓄電回収箱３における各種の制御を行い、例えば、通信インターフェース１３６を介して外部の装置との間で通信する際の制御や、外部の装置から受信した信号に従った処理を実行する際の制御や、自己の蓄電回収箱３においてあらかじめ定められた処理を実行する際の制御、などを行う。
【００６３】
具体例として、制御部１３７は、メモリ１３４の制御や、情報表示部１３５により情報を表示させる制御や、蓄電部１３２に対する蓄電（充電）や蓄電部１３２からの放電の制御を行う。蓄電部１３２に対する蓄電の制御としては、例えば、蓄電カード２−１〜２−（Ｎ＋１）から電力が供給される場合に蓄電部１３２に対する蓄電を開始させる制御や、蓄電部１３２の蓄電量が所定の第３の閾値以上になったときに蓄電を停止させる制御がある。蓄電部１３２からの放電の制御としては、例えば、蓄電部１３２の蓄電量が所定の第４の閾値未満になったときに放電を停止させる制御がある。
なお、前記した第３の閾値と第４の閾値は、同じ値であってもよく、または、異なる値であってもよい。
【００６４】
また、具体例として、制御部１３７は、この蓄電回収箱３に接続された蓄電カード２−１〜２−（Ｎ＋１）のＩＤメモリ１２４に記憶された当該蓄電カード２−１〜２−（Ｎ＋１）のＩＤを読み取る制御や、当該蓄電カード２−１〜２−（Ｎ＋１）の蓄電量メモリ１２５に記憶された蓄電量を読み取る制御や、当該蓄電カード２−１〜２−（Ｎ＋１）のポイントメモリ１２６に記憶されたポイントを書き換える制御や、当該蓄電カード２−１〜２−（Ｎ＋１）からの電力によって蓄電部１３２に新規に蓄電された蓄電量を検出（例えば、算出）する制御や、この蓄電回収箱３の蓄電部１３２に現在において蓄電されている蓄電量（積算蓄電量）を検出（例えば、算出）する制御を行う。
【００６５】
なお、本実施形態では、蓄電カード２−１〜２−（Ｎ＋１）の制御部１２８によって検出（例えば、算出）されて当該蓄電カード２−１〜２−（Ｎ＋１）の蓄電量メモリ１２５に記憶される蓄電量と、この蓄電量の電力によって蓄電回収箱３の蓄電部１３２に新規に蓄電される蓄電量とには、電力の受け渡し（充放電）時に発生するロスなどによってずれが生じ得るが、蓄電回収箱３は、当該蓄電回収箱３の制御部１３７により検出（例えば、算出）される新規の蓄電量を使用する。
【００６６】
また、具体例として、制御部１３７は、この蓄電回収箱３に接続された蓄電カード２−１〜２−（Ｎ＋１）のＩＤや新規の蓄電量や新規のポイントの情報を対応付けて管理サーバー４に送信する制御や、管理サーバー４から蓄電カード２−１〜２−（Ｎ＋１）の累積の蓄電量（積算蓄電量）や累積のポイント（積算ポイント数）の情報を受信する制御を行う。
【００６７】
また、具体例として、制御部１３７は、この蓄電回収箱３に接続された蓄電カード２−１〜２−（Ｎ＋１）のＩＤや新規の蓄電量や新規のポイントの情報を対応付けてメモリ１３４に記憶する制御を行う。
【００６８】
メモリ１３４は、各種の情報を記憶する。
具体例として、メモリ１３４は、蓄電カード２−１〜２−（Ｎ＋１）のＩＤと新規の蓄電量との対応の情報を記憶する。また、メモリ１３４は、蓄電カード２−１〜２−（Ｎ＋１）のＩＤと新規のポイントとの対応の情報を記憶する。
【００６９】
また、具体例として、メモリ１３４は、蓄電量とその蓄電量に応じて付与されるポイントとの対応の情報を記憶する。この対応の情報は、例えば、複数の異なる蓄電量とそれぞれの蓄電量に応じて付与されるポイントとを対応させるテーブルの情報であってもよく、または、蓄電量をパラメータとして、その蓄電量に応じて付与されるポイントを算出する数式の情報であってもよい。
本実施形態では、制御部１３７は、メモリ１３４に記憶されたこの対応の情報に基づいて、この蓄電回収箱３に接続された蓄電カード２−１〜２−（Ｎ＋１）からの電力によって蓄電部１３２に新規に蓄電された蓄電量に応じて付与されるポイント（新規のポイント）を決定し、決定したポイントを当該蓄電カード２−１〜２−（Ｎ＋１）に付与するために、当該蓄電カード２−１〜２−（Ｎ＋１）のポイントメモリ１２６に記憶されたポイントに当該決定したポイントを加算するように書き換える。
【００７０】
情報表示部１３５は、例えば、液晶ディスプレイなどを用いて構成されており、各種の情報を表示する。
具体例として、制御部１３７は、この蓄電回収箱３に蓄電カード２−１〜２−（Ｎ＋１）が差し込まれるなどして接続された場合に、当該蓄電カード２−１〜２−（Ｎ＋１）のＩＤメモリ１２４に記憶されたＩＤを読み取り、読み取ったＩＤと、当該蓄電カード２−１〜２−（Ｎ＋１）からの電力によって蓄電部１３２に新規に蓄電された蓄電量と、当該新規の蓄電量に応じて付与されるポイント（新規のポイント）とを、対応付けて、情報表示部１３５の画面に表示する。
【００７１】
また、具体例として、制御部１３７は、例えば、この蓄電回収箱３に蓄電カード２−１〜２−（Ｎ＋１）が差し込まれるなどして接続された場合に、当該蓄電カード２−１〜２−（Ｎ＋１）のＩＤに対応した累積の蓄電量（積算蓄電量）や累積のポイント（積算ポイント数）の情報を管理サーバー４から受信して、当該ＩＤと対応付けて、当該積算蓄電量や当該積算ポイント数を、情報表示部１３５の画面に表示する。
【００７２】
また、具体例として、制御部１３７は、この蓄電回収箱３の蓄電部１３２に現在において蓄電されている蓄電量（積算蓄電量）を検出（例えば、算出）し、検出した積算蓄電量を、情報表示部１３５の画面に表示する。
【００７３】
図６は、充放電ユニット５の構成を示す概略ブロック図である。
ここで、本実施形態では、充放電ユニット５は、蓄電回収箱３と同様な機能を各顧客の自宅に置いて使用することができ、蓄電カード２−１〜２−（Ｎ＋１）に蓄電した電力を各顧客の自宅において消費することができるような装置として構成されている。
また、本実施形態では、蓄電回収箱３と同様な機能を有する充放電ユニット５の構成や動作を示すが、充放電ユニット５としては、例えば、蓄電回収箱３より簡易にして、より低い機能とすることや、より小型とすることも可能である。
【００７４】
また、充放電ユニット５は、必ずしも蓄電回収箱３と全く同じ機能で構成されなくてもよく、本実施形態では、詳しい説明や図示は省略するが、ラジオの機能や、ＬＥＤ（Ｌｉｇｈｔ  Ｅｍｉｔｔｉｎｇ  Ｄｉｏｄｅ）ライトの機能も備える。
【００７５】
充放電ユニット５は、電力受電部１５１と、蓄電部１５２と、電力供給部１５３と、メモリ１５４（記憶部の一例であり、蓄電に関する情報の記憶部（蓄電情報記憶部）と、ポイントに関する情報の記憶部（ポイント情報記憶部）を含む）と、情報表示部１５５と、通信インターフェース１５６と、制御部１５７と、を備える。
【００７６】
電力受電部１５１は、この充放電ユニット５に接続された蓄電カード２−１〜２−（Ｎ＋１）から出力される電力を受電し、受電した電力を蓄電部１５２に出力する。
蓄電部１５２は、例えば、蓄電（充電）と放電が可能なバッテリから構成されており、電力受電部１５１から入力される電力を蓄電する。
また、蓄電部１５２は、蓄電した電力を電力供給部１５３に出力する。
【００７７】
電力供給部１５３は、蓄電部１５２から入力される電力を外部に出力する。
ここで、本実施形態では、例えば、充放電ユニット５の電力供給部１５３と各顧客の自宅内などの負荷とが電源ケーブルを介して接続された状態で、当該充放電ユニット５の電力供給部１５３から当該電源ケーブルを介して当該負荷に電力が出力（放電）される。
【００７８】
なお、充放電ユニット５において、負荷消費量は、例えば、各顧客の自宅内などの照明やディスプレイなどが消費する電力量を表す。本実施形態では、このような照明やディスプレイなどを負荷として充放電ユニット５の電力供給部１５３と繋いで、当該充放電ユニット５に貯まった電力を当該負荷により消費させる。これにより、充放電ユニット５に貯まった電力を有効に利用することができる。
また、充放電ユニット５において、蓄電放出量は、貯めた（蓄電した）蓄電量を消費のために放出する電力量を表す。
概念的には、蓄電放出量（電力）を負荷消費量に使用するイメージであり、実際には、充放電のロスが生じ得るため、１００％の利用ができないことが生じ得る。
【００７９】
通信インターフェース１５６は、外部の装置との間で信号を通信する。
本実施形態では、通信インターフェース１５６は、蓄電カード２−１〜２−（Ｎ＋１）との間で接続して通信を行うインターフェースや、管理サーバー４との間で通信を行うインターフェースを有する。
【００８０】
制御部１５７は、充放電ユニット５における各種の制御を行い、例えば、通信インターフェース１５６を介して外部の装置との間で通信する際の制御や、外部の装置から受信した信号に従った処理を実行する際の制御や、自己の充放電ユニット５においてあらかじめ定められた処理を実行する際の制御、などを行う。
【００８１】
具体例として、制御部１５７は、メモリ１５４の制御や、情報表示部１５５により情報を表示させる制御や、蓄電部１５２に対する蓄電（充電）や蓄電部１５２からの放電の制御を行う。蓄電部１５２に対する蓄電の制御としては、例えば、蓄電カード２−１〜２−（Ｎ＋１）から電力が供給される場合に蓄電部１５２に対する蓄電を開始させる制御や、蓄電部１５２の蓄電量が所定の第５の閾値以上になったときに蓄電を停止させる制御がある。蓄電部１５２からの放電の制御としては、例えば、蓄電部１５２の蓄電量が所定の第６の閾値未満になったときに放電を停止させる制御がある。
なお、前記した第５の閾値と第６の閾値は、同じ値であってもよく、または、異なる値であってもよい。
【００８２】
また、具体例として、制御部１５７は、この充放電ユニット５に接続された蓄電カード２−１〜２−（Ｎ＋１）のＩＤメモリ１２４に記憶された当該蓄電カード２−１〜２−（Ｎ＋１）のＩＤを読み取る制御や、当該蓄電カード２−１〜２−（Ｎ＋１）の蓄電量メモリ１２５に記憶された蓄電量を読み取る制御や、当該蓄電カード２−１〜２−（Ｎ＋１）のポイントメモリ１２６に記憶されたポイントを書き換える制御や、当該蓄電カード２−１〜２−（Ｎ＋１）からの電力によって蓄電部１５２に新規に蓄電された蓄電量を検出（例えば、算出）する制御や、この充放電ユニット５の蓄電部１５２に現在において蓄電されている蓄電量（積算蓄電量）を検出（例えば、検出）する制御を行う。
【００８３】
なお、本実施形態では、蓄電カード２−１〜２−（Ｎ＋１）の制御部１２８によって検出（例えば、算出）されて当該蓄電カード２−１〜２−（Ｎ＋１）の蓄電量メモリ１２５に記憶される蓄電量と、この蓄電量の電力によって充放電ユニット５の蓄電部１５２に新規に蓄電される蓄電量とには、電力の受け渡し（充放電）時に発生するロスなどによってずれが生じ得るが、充放電ユニット５は、当該充放電ユニット５の制御部１５７により検出（例えば、算出）される新規の蓄電量を使用する。
【００８４】
また、具体例として、制御部１５７は、この充放電ユニット５に接続された蓄電カード２−１〜２−（Ｎ＋１）のＩＤや新規の蓄電量や新規のポイントの情報を対応付けて管理サーバー４に送信する制御や、管理サーバー４から蓄電カード２−１〜２−（Ｎ＋１）の累積の蓄電量（積算蓄電量）や累積のポイント（積算ポイント数）の情報を受信する制御を行う。
【００８５】
また、具体例として、制御部１５７は、この充放電ユニット５に接続された蓄電カード２−１〜２−（Ｎ＋１）のＩＤや新規の蓄電量や新規のポイントの情報を対応付けてメモリ１５４に記憶する制御を行う。
【００８６】
メモリ１５４は、各種の情報を記憶する。
具体例として、メモリ１５４は、蓄電カード２−１〜２−（Ｎ＋１）のＩＤと新規の蓄電量との対応の情報を記憶する。また、メモリ１５４は、蓄電カード２−１〜２−（Ｎ＋１）のＩＤと新規のポイントとの対応の情報を記憶する。
【００８７】
また、具体例として、メモリ１５４は、蓄電量とその蓄電量に応じて付与されるポイントとの対応の情報を記憶する。この対応の情報は、例えば、複数の異なる蓄電量とそれぞれの蓄電量に応じて付与されるポイントとを対応させるテーブルの情報であってもよく、または、蓄電量をパラメータとして、その蓄電量に応じて付与されるポイントを算出する数式の情報であってもよい。
本実施形態では、制御部１５７は、メモリ１５４に記憶されたこの対応の情報に基づいて、この充放電ユニット５に接続された蓄電カード２−１〜２−（Ｎ＋１）からの電力によって蓄電部１５２に新規に蓄電された蓄電量に応じて付与されるポイント（新規のポイント）を決定し、決定したポイントを当該蓄電カード２−１〜２−（Ｎ＋１）に付与するために、当該蓄電カード２−１〜２−（Ｎ＋１）のポイントメモリ１２６に記憶されたポイントに当該決定したポイントを加算するように書き換える。
【００８８】
情報表示部１５５は、例えば、液晶ディスプレイなどを用いて構成されており、各種の情報を表示する。
具体例として、制御部１５７は、この充放電ユニット５に蓄電カード２−１〜２−（Ｎ＋１）が差し込まれるなどして接続された場合に、当該蓄電カード２−１〜２−（Ｎ＋１）のＩＤメモリ１２４に記憶されたＩＤを読み取り、読み取ったＩＤと、当該蓄電カード２−１〜２−（Ｎ＋１）からの電力によって蓄電部１５２に新規に蓄電された蓄電量と、当該新規の蓄電量に応じて付与されるポイント（新規のポイント）とを、対応付けて、情報表示部１３５の画面に表示する。
【００８９】
また、具体例として、制御部１５７は、例えば、この充放電ユニット５に蓄電カード２−１〜２−（Ｎ＋１）が差し込まれるなどして接続された場合に、当該蓄電カード２−１〜２−（Ｎ＋１）のＩＤに対応した累積の蓄電量（積算蓄電量）や累積のポイント（積算ポイント数）の情報を管理サーバー４から受信して、当該ＩＤと対応付けて、当該積算蓄電量や当該積算ポイント数を、情報表示部１３５の画面に表示する。
【００９０】
また、具体例として、制御部１５７は、この充放電ユニット５の蓄電部１５２に現在において蓄電されている蓄電量（積算蓄電量）を検出（例えば、算出）し、検出した積算蓄電量を、情報表示部１５５の画面に表示する。
【００９１】
図７は、ポイント利用装置６の構成を示す概略ブロック図である。
ポイント利用装置６は、通信インターフェース１６１と、制御部１６２と、を備える。
【００９２】
通信インターフェース１６１は、外部の装置との間で信号を通信する。
本実施形態では、通信インターフェース１６１は、蓄電カード２−１〜２−（Ｎ＋１）との間で接触または非接触で接続して通信を行うインターフェースや、管理サーバー４との間で通信を行うインターフェースを有する。
【００９３】
制御部１６２は、ポイント利用装置６における各種の制御を行い、例えば、通信インターフェース１６１を介して外部の装置との間で通信する際の制御や、外部の装置から受信した信号に従った処理を実行する際の制御や、自己のポイント利用装置６においてあらかじめ定められた処理を実行する際の制御、などを行う。
【００９４】
具体例として、制御部１６２は、このポイント利用装置６に接続された蓄電カード２−１〜２−（Ｎ＋１）のＩＤメモリ１２４に記憶された当該蓄電カード２−１〜２−（Ｎ＋１）のＩＤを読み取る制御や、当該蓄電カード２−１〜２−（Ｎ＋１）のポイントメモリ１２６に記憶されたポイントを書き換える制御を行う。
【００９５】
より詳しくは、制御部１６２は、このポイント利用装置６に接続された蓄電カード２−１〜２−（Ｎ＋１）の顧客が使用を希望するポイントだけ減らすように、当該蓄電カード２−１〜２−（Ｎ＋１）のポイントメモリ１２６に記憶されたポイントを書き換える。この場合、顧客が使用を希望するポイントは、例えば、店員などによりポイント利用装置６に直接入力されてもよく、または、レジなどの外部の装置からポイント利用装置６に入力されてもよい。
また、制御部１６２は、この蓄電カード２−１〜２−（Ｎ＋１）のＩＤとそのポイントの変化（例えば、減少したポイント、または、減少後に残ったポイント）の情報を管理サーバー４に送信する。
【００９６】
なお、顧客により使用されたポイントによって、例えば、そのポイントに対応した金額をその顧客が購入した商品の代金に充当すること、または、そのポイントに対応した金額あるいは商品などをその顧客に与えること、を行う。
【００９７】
図８は、管理サーバー４の構成を示す概略ブロック図である。
管理サーバー４は、蓄電情報データベース１４１（蓄電情報記憶部の一例）と、ポイント情報データベース１４２（ポイント情報記憶部の一例）と、その他情報データベース１４３（その他情報記憶部の一例）と、通信インターフェース１４４と、制御部１４５と、を備える。
【００９８】
蓄電情報データベース１４１は、蓄電に関する情報を記憶するデータベースである。
図１２は、管理サーバー４の蓄電情報データベース１４１に記憶される情報の一例を示す図である。
この例では、蓄電情報データベース１４１は、蓄電カード２−１〜２−（Ｎ＋１）ごとのＩＤ（図１２における、「個別ＩＤ」）と、新規の蓄電量（図１２における、「蓄電量」）と、積算蓄電量（図１２における、「積算蓄電量」）と、１個の蓄電回収箱３における積算蓄電量（図１２における、「回収箱の積算蓄電量」）と、を対応付けて記憶する。
【００９９】
具体例として、「個別ＩＤ」が「０１２３」である蓄電カードについては、新規の「蓄電量」が「２０Ｗ」であり、「積算蓄電量」が「１５５Ｗ」であり、「回収箱の積算蓄電量」が「２２００Ｗ」である。
【０１００】
ここで、他の例として、蓄電回収箱３が複数備えられる場合には、例えば、蓄電情報データベース１４１は、それぞれの蓄電回収箱３ごとに、「回収箱の積算蓄電量」の情報を記憶する。また、この場合、蓄電情報データベース１４１は、「個別ＩＤ」に対応する「蓄電量」や「積算蓄電量」の情報については、それぞれの蓄電回収箱３ごとに記憶してもよく、または、全ての蓄電回収箱３に共通に記憶してもよい。
【０１０１】
また、図１２では、蓄電に関する情報として、蓄電回収箱３により回収される電力に関する情報を示したが、同様に、充放電ユニット５により回収される電力に関する情報を用いることもできる。
具体的には、蓄電情報データベース１４１は、蓄電カード２−１〜２−（Ｎ＋１）ごとのＩＤ（「個別ＩＤ」）と、新規の蓄電量（「蓄電量」）と、積算蓄電量（「積算蓄電量」）と、１個の充放電ユニット５における積算蓄電量（「充放電ユニットの積算蓄電量」）と、を対応付けて記憶する。この場合、他の例として、充放電ユニット５が複数備えられる場合には、例えば、蓄電情報データベース１４１は、それぞれの充放電ユニット５ごとに、「充放電ユニットの積算蓄電量」の情報を記憶する。また、この場合、蓄電情報データベース１４１は、「個別ＩＤ」に対応する「蓄電量」や「積算蓄電量」の情報については、それぞれの充放電ユニット５ごとに記憶してもよく、または、全ての充放電ユニット５に共通に記憶してもよい。
【０１０２】
また、蓄電回収箱３と充放電ユニット５の両方に関して図１２に示されるような情報を記憶する場合には、蓄電情報データベース１４１は、「個別ＩＤ」に対応する「蓄電量」や「積算蓄電量」の情報については、蓄電回収箱３と充放電ユニット５とで別々に記憶してもよく、または、蓄電回収箱３と充放電ユニット５とで共通に記憶してもよい。
【０１０３】
ポイント情報データベース１４２は、ポイントに関する情報を記憶するデータベースである。
図１３は、管理サーバー４のポイント情報データベース１４２に記憶される情報の一例を示す図である。
この例では、ポイント情報データベース１４２は、蓄電カード２−１〜２−（Ｎ＋１）ごとのＩＤ（図１３における、「個別ＩＤ」）と、付与された新規のポイント（図１３における、「ポイント数」）と、付与された積算ポイント数（図１３における、「積算ポイント数」）と、を対応付けて記憶する。
【０１０４】
具体例として、「個別ＩＤ」が「０１２３」である蓄電カードについては、新規の「ポイント数」が「２０ｐ」（ｐはポイントを表す）であり、「積算ポイント数」が「１５５ｐ」（ｐはポイントを表す）である。
【０１０５】
その他情報データベース１４３は、その他の情報を記憶するデータベースである。
図１４は、管理サーバー４のその他情報データベース１４３に記憶される情報の一例を示す図である。これは、顧客（例えば、蓄電カードを使用する会員）に関する情報である。
この例では、その他情報データベース１４３は、蓄電カード２−１〜２−（Ｎ＋１）ごとのＩＤ（図１４における、「個別ＩＤ」）と、その蓄電カード２−１〜２−（Ｎ＋１）の顧客が入会した日（図１４における、「入会日」）と、その蓄電カード２−１〜２−（Ｎ＋１）の顧客の性別（図１４における、「性別」）と、その蓄電カード２−１〜２−（Ｎ＋１）の顧客の住所（図１４における、「住所」）と、その蓄電カード２−１〜２−（Ｎ＋１）の顧客の連絡先（図１４における、「連絡先」）と、その蓄電カード２−１〜２−（Ｎ＋１）の顧客の氏名（図１４における、「氏名」）と、を対応付けて記憶する。
【０１０６】
具体例として、「個別ＩＤ」が「０１２３」である蓄電カードについては、その顧客の「入会日」が「２００８／７／１２（２００８年７月１２日）」であり、その顧客の「性別」が「女（女性）」であり、その顧客の住所が「東京都○○区××」であり、その顧客の連絡先が「０３−００００−００００」であり、その顧客の氏名が「○○」である。
なお、このような会員情報としては、様々な情報が用いられてもよく、例えば、年齢や家族構成などの情報を用いることもできる。
【０１０７】
図１５は、管理サーバー４のその他情報データベース１４３に記憶される情報の他の一例を示す図である。これは、顧客（例えば、蓄電カードを使用する会員）に関する購買状況の情報である。
この例では、その他情報データベース１４３は、蓄電カード２−１〜２−（Ｎ＋１）ごとのＩＤ（図１５における、「個別ＩＤ」）と、その蓄電カード２−１〜２−（Ｎ＋１）を使用して顧客が前回に購入した金額（図１５における、「前回購入金額」）と、その蓄電カード２−１〜２−（Ｎ＋１）を使用して顧客が購入した金額の累計（図１５における、「積算購入金額」）と、を対応付けて記憶する。
【０１０８】
具体例として、「個別ＩＤ」が「０１２３」である蓄電カードについては、「前回購入金額」が「￥５８２」であり、「積算購入金額」が「￥２２００００」である。
なお、このような会員の購入情報としては、様々な情報が用いられてもよく、例えば、顧客がよく購入する商品の種類などの情報を用いることもできる。
【０１０９】
通信インターフェース１４４は、外部の装置との間で信号を通信する。
本実施形態では、通信インターフェース１４４は、蓄電回収箱３との間で通信を行うインターフェースや、充放電ユニット５との間で通信を行うインターフェースや、ポイント利用装置６との間で通信を行うインターフェースを有する。
【０１１０】
制御部１４５は、管理サーバー４における各種の制御を行い、例えば、通信インターフェース１４４を介して外部の装置との間で通信する際の制御や、外部の装置から受信した信号に従った処理を実行する際の制御や、自己の管理サーバー４においてあらかじめ定められた処理を実行する際の制御、などを行う。
【０１１１】
具体例として、制御部１４５は、蓄電回収箱３から送信される蓄電カード２−１〜２−（Ｎ＋１）のＩＤや新規の蓄電量や新規のポイントの情報を受信して、受信した情報に基づいて、図１２に示される蓄電情報データベース１４１に記憶される情報や、図１３に示されるポイント情報データベース１４２に記憶される情報を書き換える。
【０１１２】
この場合に、制御部１４５は、前回の積算蓄電量に今回の新規の蓄電量を加算することで、今回の積算蓄電量を算出する。
また、制御部１４５は、前回の積算ポイント数に今回の新規のポイントを加算することで、今回の積算ポイント数を算出する。
【０１１３】
なお、蓄電回収箱３が複数備えられる場合には、例えば、それぞれの蓄電回収箱３ごとに識別情報（ＩＤ）が設定され、蓄電回収箱３から他の装置（例えば、管理サーバー４など）への通信では、自己の蓄電回収箱３のＩＤを当該他の装置へ送信する。そして、管理サーバー４は、蓄電回収箱３から受信した当該蓄電回収箱３のＩＤに基づいて、それぞれの蓄電回収箱３ごとに受信した情報（例えば、蓄電量やポイントに関する情報）を識別することができる。
【０１１４】
また、具体例として、制御部１４５は、充放電ユニット５から送信される蓄電カード２−１〜２−（Ｎ＋１）のＩＤや新規の蓄電量や新規のポイントの情報を受信して、受信した情報に基づいて、図１２に示される蓄電情報データベース１４１に記憶される情報や、図１３に示されるポイント情報データベース１４２に記憶される情報を書き換える。
【０１１５】
この場合に、制御部１４５は、前回の積算蓄電量に今回の新規の蓄電量を加算することで、今回の積算蓄電量を算出する。
また、制御部１４５は、前回の積算ポイント数に今回の新規のポイントを加算することで、今回の積算ポイント数を算出する。
【０１１６】
なお、充放電ユニット５が複数備えられる場合には、例えば、それぞれの充放電ユニット５ごとに識別情報（ＩＤ）が設定され、充放電ユニット５から他の装置（例えば、管理サーバー４など）への通信では、自己の充放電ユニット５のＩＤを当該他の装置へ送信する。そして、管理サーバー４は、充放電ユニット５から受信した当該充放電ユニット５のＩＤに基づいて、それぞれの充放電ユニット５ごとに受信した情報（例えば、蓄電量やポイントに関する情報）を識別することができる。
【０１１７】
また、具体例として、制御部１４５は、図１２に示される蓄電情報データベース１４１に記憶される情報に基づいて、蓄電カード２−１〜２−（Ｎ＋１）の累積の蓄電量（積算蓄電量）の情報を蓄電回収箱３に送信する。一例として、蓄電回収箱３から管理サーバー４に、情報を要求する蓄電カードのＩＤを送信し、これに応じて、管理サーバー４の制御部１４５が、受信した蓄電カードのＩＤに対応した積算蓄電量の情報を当該蓄電回収箱３に送信する。他の一例として、管理サーバー４の制御部１４５が、定期的などの所定のタイミングで、全てまたはあらかじめ定められた１個以上の蓄電カードのＩＤとそれに対応した積算蓄電量の情報を蓄電回収箱３に送信する。
【０１１８】
また、具体例として、制御部１４５は、図１２に示される蓄電情報データベース１４１に記憶される情報に基づいて、蓄電カード２−１〜２−（Ｎ＋１）の累積の蓄電量（積算蓄電量）の情報を充放電ユニット５に送信する。一例として、充放電ユニット５から管理サーバー４に、情報を要求する蓄電カードのＩＤを送信し、これに応じて、管理サーバー４の制御部１４５が、受信した蓄電カードのＩＤに対応した積算蓄電量の情報を当該充放電ユニット５に送信する。他の一例として、管理サーバー４の制御部１４５が、定期的などの所定のタイミングで、全てまたはあらかじめ定められた１個以上の蓄電カードのＩＤとそれに対応した積算蓄電量の情報を充放電ユニット５に送信する。
【０１１９】
また、具体例として、制御部１４５は、図１３に示されるポイント情報データベース１４２に記憶される情報に基づいて、蓄電カード２−１〜２−（Ｎ＋１）の累積のポイント（積算ポイント数）の情報を蓄電回収箱３に送信する。一例として、蓄電回収箱３から管理サーバー４に、情報を要求する蓄電カードのＩＤを送信し、これに応じて、管理サーバー４の制御部１４５が、受信した蓄電カードのＩＤに対応した積算ポイント数の情報を当該蓄電回収箱３に送信する。他の一例として、管理サーバー４の制御部１４５が、定期的などの所定のタイミングで、全てまたはあらかじめ定められた１個以上の蓄電カードのＩＤとそれに対応した積算ポイント数の情報を蓄電回収箱３に送信する。
【０１２０】
また、具体例として、制御部１４５は、図１３に示されるポイント情報データベース１４２に記憶される情報に基づいて、蓄電カード２−１〜２−（Ｎ＋１）の累積のポイント（積算ポイント数）の情報を充放電ユニット５に送信する。一例として、充放電ユニット５から管理サーバー４に、情報を要求する蓄電カードのＩＤを送信し、これに応じて、管理サーバー４の制御部１４５が、受信した蓄電カードのＩＤに対応した積算ポイント数の情報を当該充放電ユニット５に送信する。他の一例として、管理サーバー４の制御部１４５が、定期的などの所定のタイミングで、全てまたはあらかじめ定められた１個以上の蓄電カードのＩＤとそれに対応した積算ポイント数の情報を充放電ユニット５に送信する。
【０１２１】
また、具体例として、制御部１４５は、ポイント利用装置６から、蓄電カード２−１〜２−（Ｎ＋１）のＩＤとそのポイントの変化（例えば、減少したポイント、または、減少後に残ったポイント）の情報を受信して、受信した情報に基づいて、図１３に示されるポイント情報データベース１４２に記憶される情報を書き換える。
この場合に、制御部１４５は、ポイント利用装置６から、ポイントの変化として、減少したポイントの情報を受信するときには、前回の積算ポイント数から今回の減少したポイントを減少することで、今回の積算ポイント数を算出する。
【０１２２】
なお、本実施形態では、蓄電カード２−１〜２−（Ｎ＋１）を所持する顧客に対して、蓄電カード２−１〜２−（Ｎ＋１）を使用して行われた蓄電に対して付与されるポイント以外に、他の理由でポイントが付与される場合があるとする。ここで言う他の理由としては、任意の理由であってもよく、例えば、蓄電以外のエコロジー（エコ）の活動に貢献した場合とすることができる。本実施形態では、他の理由で顧客に対してポイントが付与された場合には、例えば、管理サーバー４を操作する者から操作により入力されたポイントの付与に関する情報や、外部の装置から入力されたポイントの付与に関する情報に基づいて、制御部１４５が、図１３に示されるポイント情報データベース１４２に記憶される積算ポイント数の情報を書き換える。このため、本実施形態では、ある顧客が、蓄電カード２−１〜２−（Ｎ＋１）を使用して行った蓄電に対してポイントの付与を受けるとともに、他の理由でポイントの付与を受けると、蓄電カード２−１〜２−（Ｎ＋１）を使用して行った蓄電に対してのみポイントの付与を受ける場合と比べて、積算蓄電量と積算ポイント数との対応がずれることになる。
【０１２３】
また、具体例として、制御部１４５は、例えば、管理サーバー４を操作する者から操作により入力された情報や、外部の装置から入力された情報に基づいて、図１４に示されるその他情報データベース１４３に記憶される情報を書き換える。
【０１２４】
また、具体例として、制御部１４５は、例えば、レジの装置などと接続されて、当該レジの装置などから入力される情報に基づいて、図１５に示されるその他情報データベース１４３に記憶される情報を書き換える。この場合、レジの装置などは、例えば、蓄電カード２−１〜２−（Ｎ＋１）のＩＤと、その蓄電カード２−１〜２−（Ｎ＋１）を利用して行われた購買における購入金額の情報を管理サーバー４に送信する。また、この場合、制御部１４５は、蓄電カード２−１〜２−（Ｎ＋１）のＩＤとそれに対応した購入金額の情報を受信するときには、それまでの積算購入金額に受信した新規の購入金額を加算することで、積算購入金額を算出する。
【０１２５】
次に、本実施形態に係る蓄電回収システム１１において行われる動作のフローの例を示す。
図９は、蓄電グッズ１−１から蓄電カード２−１への蓄電の際に行われる動作の例を示すフローチャート図である。なお、他の蓄電グッズ１−２〜１−Ｎや他の蓄電カード２−２〜２−（Ｎ＋１）の動作についても同様である。
【０１２６】
まず、蓄電カード２−１を所持する顧客が、当該蓄電カード２−１と発電グッズ１−１とを接続する（ステップＳ１）。
蓄電カード２−１と発電グッズ１−１との接続が完了した状態で、顧客（または、他の人）が運動をして当該発電グッズ１−１により発電させることで、当該発電グッズ１−１により発電された電力を当該発電グッズ１−１から当該蓄電カード２−１に供給して、当該電力を当該蓄電カード２−１の蓄電部１２２に蓄電する（ステップＳ２）。
【０１２７】
また、蓄電カード２−１の制御部１２８が、蓄電部１２２に蓄電されている蓄電量（現在の蓄電量）を検出する（ステップＳ３）。
そして、蓄電カード２−１の制御部１２８が、検出した蓄電量を蓄電量メモリ１２５に記憶する（ステップＳ４）。
【０１２８】
なお、この例では、人の運動により発電する発電グッズ１−１を用いた場合を示したが、自然のエネルギーによって発電する発電グッズ１−２を用いた場合についても、同様である。
【０１２９】
図１０は、蓄電カード２−１から蓄電回収箱３への蓄電の際に行われる動作の例を示すフローチャート図である。なお、他の蓄電カード２−２〜２−（Ｎ＋１）の動作についても同様である。
【０１３０】
まず、蓄電カード２−１を所持する顧客が、蓄電回収箱３が設置されているスーパーに行き、当該蓄電カード２−１を当該蓄電回収箱３に接続する（ステップＳ１１）。
蓄電カード２−１と蓄電回収箱３との接続が完了した状態で、当該蓄電カード２−１の蓄電部１２２に蓄電された電力を当該蓄電カード２−１から当該蓄電回収箱３に供給して、当該電力を当該蓄電回収箱３の蓄電部１３２に蓄電する（ステップＳ１２）。
【０１３１】
この場合、蓄電回収箱３の制御部１３７が、蓄電カード２−１から供給されて蓄電部１３２に新規に蓄電された蓄電量を検出する（ステップＳ１３）。
そして、蓄電回収箱３の制御部１３７が、この蓄電カード２−１のＩＤと対応付けて、検出した蓄電量をメモリ１３４に記憶する（ステップＳ１４）。
また、蓄電回収箱３の制御部１３７が、この蓄電カード２−１により得られた新規の蓄電量に対応するポイントを決定し、決定したポイントを当該蓄電カード２−１に対して付与する（ステップＳ１５）。
【０１３２】
ここで、蓄電カード２−１から充放電ユニット５への蓄電の際に行われる動作の例を示すフローチャート図についても、図１０と同様である。なお、他の蓄電カード２−２〜２−（Ｎ＋１）の動作についても同様である。
【０１３３】
まず、蓄電カード２−１を所持する顧客が、当該顧客の自宅において、当該蓄電カード２−１を充放電ユニット５に接続する（ステップＳ１１と同様な処理）。
蓄電カード２−１と充放電ユニット５との接続が完了した状態で、当該蓄電カード２−１の蓄電部１２２に蓄電された電力を当該蓄電カード２−１から当該充放電ユニット５に供給して、当該電力を当該充放電ユニット５の蓄電部１５２に蓄電する（ステップＳ１２と同様な処理）。
【０１３４】
この場合、充放電ユニット５の制御部１５７が、蓄電カード２−１から供給されて蓄電部１５２に新規に蓄電された蓄電量を検出する（ステップＳ１３と同様な処理）。
そして、充放電ユニット５の制御部１５７が、この蓄電カード２−１のＩＤと対応付けて、検出した蓄電量をメモリ１５４に記憶する（ステップＳ１４と同様な処理）。
また、充放電ユニット５の制御部１５７が、この蓄電カード２−１により得られた新規の蓄電量に対応するポイントを決定し、決定したポイントを当該蓄電カード２−１に対して付与する（ステップＳ１５と同様な処理）。
【０１３５】
図１１は、蓄電回収箱３から管理サーバー４への情報交換の際に行われる動作の例を示すフローチャート図である。
ここで、このような情報交換は、任意のタイミングで行われてもよく、例えば、あらかじめ設定された定期的などのタイミングで行われてもよく、または、蓄電回収箱３と蓄電カード２−１〜２−（Ｎ＋１）との接続及び電力の受け渡しが行われた後のタイミングで、そのたびごとに行われてもよい。
【０１３６】
まず、蓄電回収箱３と管理サーバー４とが通信可能に接続する（ステップＳ２１）。なお、蓄電回収箱３と管理サーバー４とが常時接続している場合には、そのままでよい。
蓄電回収箱３と管理サーバー４との接続が完了した状態で、蓄電回収箱３の制御部１３７が、蓄電カード２−１〜２−（Ｎ＋１）を使用して行われた蓄電に関して蓄電量の情報やポイントの情報を管理サーバー４に送信する。管理サーバー４の制御部１４５は、蓄電回収箱３から送信された蓄電量の情報を受信し、蓄電回収箱３から送信されたポイントの情報を受信する（ステップＳ２２）。
【０１３７】
そして、管理サーバー４の制御部１４５は、蓄電回収箱３から受信した蓄電量の情報に基づいて、その蓄電量に関する情報を蓄電情報データベース１４１に記憶する（ステップＳ２３）。
また、管理サーバー４の制御部１４５は、蓄電回収箱３から受信したポイントの情報に基づいて、そのポイントに関する情報をポイント情報データベース１４２に記憶する（ステップＳ２４）。
【０１３８】
ここで、充放電ユニット５から管理サーバー４への情報交換の際に行われる動作の例を示すフローチャート図についても、図１１と同様である。
ここで、このような情報交換は、任意のタイミングで行われてもよく、例えば、あらかじめ設定された定期的などのタイミングで行われてもよく、または、充放電ユニット５と蓄電カード２−１〜２−（Ｎ＋１）との接続及び電力の受け渡しが行われた後のタイミングで、そのたびごとに行われてもよい。
【０１３９】
まず、充放電ユニット５と管理サーバー４とが通信可能に接続する（ステップＳ２１と同様な処理）。なお、充放電ユニット５と管理サーバー４とが常時接続している場合には、そのままでよい。
充放電ユニット５と管理サーバー４との接続が完了した状態で、充放電ユニット５の制御部１５７が、蓄電カード２−１〜２−（Ｎ＋１）を使用して行われた蓄電に関して蓄電量の情報やポイントの情報を管理サーバー４に送信する。管理サーバー４の制御部１４５は、充放電ユニット５から送信された蓄電量の情報を受信し、充放電ユニット５から送信されたポイントの情報を受信する（ステップＳ２２と同様な処理）。
【０１４０】
そして、管理サーバー４の制御部１４５は、充放電ユニット５から受信した蓄電量の情報に基づいて、その蓄電量に関する情報を蓄電情報データベース１４１に記憶する（ステップＳ２３と同様な処理）。
また、管理サーバー４の制御部１４５は、充放電ユニット５から受信したポイントの情報に基づいて、そのポイントに関する情報をポイント情報データベース１４２に記憶する（ステップＳ２４と同様な処理）。
【０１４１】
次に、本実施形態に係る蓄電回収システム１１において、蓄電カード２−１〜２−（Ｎ＋１）を所持する顧客の具体的な行動の一例を示す。
顧客は、その顧客の自宅内（家庭内）に設置されたエアロバイク（発電グッズ１−１の一例）のインターフェースに自己の蓄電カード２−１を差し込むなどして接続する。
そして、顧客は、そのエアロバイクを漕ぐ。例えば、顧客がそのエアロバイクを１時間漕いだ結果、そのエアロバイクが積算で１００Ｗｈ［ワット時］を発電し、蓄電カード２−１に１００Ｗｈの電力が蓄電される。
【０１４２】
顧客は、その蓄電カード２−１を持ち、蓄電回収箱３が設置されている近所のスーパーに出かけ、その蓄電カード２−１を蓄電回収箱３に差し込むなどして接続する。すると、あらかじめ貯められた蓄電カード２−１に入った電力が、蓄電回収箱３に蓄電される。
このとき、蓄電回収箱３は、その蓄電カード２−１からの電力によって蓄電されると同時に、その蓄電カード２−１のＩＤを読み込み、読み込んだＩＤに応じた蓄電量（新規の蓄電量）を把握し、その蓄電量に対応するポイントをその蓄電カード２−１に対して発行する。また、これと同時に、蓄電回収箱３は、その蓄電に関する情報を管理サーバー４に渡す。
なお、ここで言う「同時」としては、必ずしも完全に同一のタイミングでなくてもよく、多少の時間的なずれがあってもよい。
【０１４３】
このようにして蓄電回収箱３に貯められた電力は、例えば、その蓄電回収箱３が設置されるスーパーの負荷への電力供給に利用される。この場合、例えば、スーパーでは、「このスーパーの照明で消費される電力のうちの○○％はお客様の省エネ活動で賄っています。」などの情報を発表することなどによって、環境貢献活動の一環となるばかりか、電力料金の削減の一助ともなり得る。
【０１４４】
また、顧客は、このような省エネ活動に参加しているという実感を抱くことができ、「また他の日（例えば、明日など）も蓄電してそのスーパーに足を運ぼう」というインセンティブが働く。
また、顧客は、蓄電によって付与されるポイントを貯めることで、例えば、次回に買い物をするときに貯めたポイントをレジで使用すること（ポイント還元を受けること）、あるいは、貯めたポイントをスーパーの商品などと交換することができ、「継続的にそのスーパーに足を運ぼう」というインセンティブが働く。
【０１４５】
また、顧客は、スーパーに設置されている蓄電回収箱３の代わりに、自宅に充放電ユニット５がある場合には、自己の蓄電カード２−１に貯められた電力を充放電ユニット５に蓄電してポイントの付与を受けることもできる。このような場合においても、顧客は、付与されたポイントをスーパーで使用したいと考えることから、スーパーにおける集客が可能となる。
【０１４６】
また、管理サーバー４では、蓄電カード２−１〜２−（Ｎ＋１）ごとの蓄電量やポイントに関する情報を収集することができ、それらのデータベースの内容を随時更新することができる。
【０１４７】
このような一連の流れが形成されると、顧客は、省エネを楽しく実現することができるばかりか、このような省エネ活動を通じて、コミュニケーションの幅を広げることができ、絆を作ることができる。
一方、蓄電回収箱３を設置したスーパーは、より一層の集客を期待することができ、環境に貢献する企業というイメージの向上を図ることもでき、売上貢献にも繋がると考えられる。
【０１４８】
以上のように、本実施形態に係る蓄電回収システム１１によると、例えば、いろいろな人（本実施形態では、顧客）により、それぞれが小さい電力量を集めて、全体として大きい電力量を集めることができる。これにより、これらの人々に、楽しく省エネを実現させることができ、また、省エネを通じて、コミュニケーションを促すことや、人との繋がりや人との絆を高めることを図ることができる。
【０１４９】
例えば、従来の価値観では「省エネ＝節電（節約）」という意識のみが強く、「電気をこまめに切る」、「冷房の温度を上げる」、「冷蔵庫の開け閉めの時間を短くする」などの工夫はできるが、それを長続きさせることが難しかった。
これに対して、本実施形態に係る蓄電回収システム１１では、そのような単なる節電に代わり、小さいながらも発電をすることによって、また、それを集めるツールを提供することによって、省エネ活動を促進することができ、また、そのような省エネ活動を通じて、「コミュニケーション」、「絆」、「繋がり」といったものを人々に提供することができる。
【０１５０】
ここで、本実施形態では、特定のスーパーの顧客に蓄電カード２−１〜２−（Ｎ＋１）を所持させる構成を示したが、スーパーの代わりに他の様々な施設に適用されてもよい。
また、特定の施設の顧客に蓄電カード２−１〜２−（Ｎ＋１）を所持させる構成ばかりでなく、例えば、特定の集団に属する人々に蓄電カード２−１〜２−（Ｎ＋１）を所持させる構成、または、このような集団とは無関係に、任意の人々に蓄電カード２−１〜２−（Ｎ＋１）を所持させる構成を用いることもできる。
【０１５１】
また、本実施形態では、基本的には、発電グッズ１−１〜１−Ｎや蓄電カード２−１〜２−（Ｎ＋１）が個人により所持されて使用される場合を示したが、これに限られず、例えば、発電グッズ１−１〜１−Ｎや蓄電カード２−１〜２−（Ｎ＋１）が特定の集団により所持されて共同で使用されてもよい。
【０１５２】
また、本実施形態では、蓄電カード２−１〜２−（Ｎ＋１）において、蓄電量メモリ１２５により現在の蓄電量を記憶し、ポイントメモリ１２６により現在のポイントを記憶する構成を示したが、これらの構成要素は必ずしも備えられなくてもよく、例えば、蓄電カード２−１〜２−（Ｎ＋１）における現在の蓄電量や現在のポイントが、当該蓄電カード２−１〜２−（Ｎ＋１）と蓄電回収箱３や充放電ユニット５との通信により、当該蓄電回収箱３や当該充放電ユニット５や管理サーバー４などの１つ以上の装置（蓄電カード２−１〜２−（Ｎ＋１）以外の装置）によって記憶されていればよい。
【０１５３】
また、本実施形態では、蓄電デバイスとして、カード状のデバイス（本実施形態では、蓄電カード２−１〜２−（Ｎ＋１））を用いる構成を示したが、これに限られず、任意の形状のデバイスを用いることができる。また、蓄電デバイスとして、例えば、キーホルダーや携帯電話端末などに蓄電デバイスの機能を付加したものを用いることもできる。
また、蓄電デバイスとしては、例えば、人により容易に持ち運ぶことができる可搬性の良いものを用いるのが好ましい。
【０１５４】
［第２の実施形態］
図１６は、本発明の第２の実施形態に係る蓄電回収システムにおける蓄電回収箱３Ａの構成を示す概略ブロック図である。
蓄電回収箱３Ａは、電力受電部１３１と、蓄電部１３２と、電力供給部１３３と、メモリ１３４（記憶部の一例であり、蓄電に関する情報の記憶部（蓄電情報記憶部）と、ポイントに関する情報の記憶部（ポイント情報記憶部）を含む）と、情報表示部１３５と、通信インターフェース１３６と、制御部１３７と、充電レート決定部１３８と、を備える。このうち、充電レート決定部１３８以外の各部は前述した第１の実施形態におけるものと同一であるので、再度の説明は省略する。
【０１５５】
充電レート決定部１３８は、蓄電部１３２に対する充電の充電レートを決定し、決定した充電レートを制御部１３７に指示する。充電レートは、充電の速さを規定するパラメータであり、例えば充電レートが「１Ｃ」であれば、満充電された蓄電カード２−１〜２−（Ｎ＋１）から蓄電部１３２への充電は１時間で完了する。また、充電レートが「２Ｃ」であれば、同様に充電は０．５時間で完了し、充電レートが「０．５Ｃ」であれば、同様に充電は２時間で完了する。
【０１５６】
充電レートの決定手法として、本実施形態では、蓄電回収箱３Ａが設置されたスーパー等の店舗（以下、単に店舗と言う）のＰＯＳ（Ｐｏｉｎｔ  ｏｆ  Ｓａｌｅｓ）情報を利用する。具体的には、充電レート決定部１３８は、通信インターフェース１３６を介して、当該店舗のＰＯＳ情報管理サーバーからＰＯＳ情報を取得する。ＰＯＳ情報は、当該店舗の各顧客について、来店時刻、退店時刻、レジで商品を購入した時刻、購入した商品およびその金額、等を記録したデータである。充電レート決定部１３８は、取得したＰＯＳ情報に含まれる各顧客の来店時刻と退店時刻の差から、各顧客の店内滞在時間を算出する。また、充電レート決定部１３８は、取得したＰＯＳ情報に含まれる各顧客の購入商品について、その合計金額（以下、購買額と称する）を算出する。なお、顧客が当該店舗で商品の購入を同日中に複数回行っている場合には、充電レート決定部１３８は、最初の購入時刻と最後の購入時刻の差から、店内滞在時間を推定してもよい。
【０１５７】
充電レート決定部１３８は、上記のようにして算出した複数の顧客（例えば、ある１日の全来店客や、ある１週間の全来店客）についての店内滞在時間と購買額に基づいて、これらを統計的に演算処理することにより、購買額が最大となることが期待される店内滞在時間（以下、最適店内滞在時間と称する）を算出する。図１７に、複数の顧客について店内滞在時間と購買額の関係をプロットしたグラフの一例を示す。同図のように、購買額は、ある店内滞在時間において最大値をとることが認められる（例えば、「降籏徹馬，西野和美，寺崎康博：時空間を基軸とした百貨店POSデータの分析，オペレーションズ・リサーチ，49(2)，92-100，2004」を参照）。この最大値を与える店内滞在時間が、最適店内滞在時間である。最適店内滞在時間は、店舗の規模や取扱商品の種類、顧客の客層等によって変わり得るが、一例として、最適店内滞在時間は、１００分（百貨店の場合）である。
【０１５８】
充電レート決定部１３８は、このようにして算出した最適店内滞在時間で蓄電カード２−１〜２−（Ｎ＋１）から蓄電部１３２への充電が完了するように、充電レートを決定する。例えば、最適店内滞在時間が上記例の１００分の場合、充電レート決定部１３８により決定される充電レートは、「０．６Ｃ」となる。
【０１５９】
制御部１３７は、充電レート決定部１３８から指示された充電レートで蓄電カード２−１〜２−（Ｎ＋１）から蓄電部１３２へ充電を行うよう、蓄電部１３２に対する制御を行う。
【０１６０】
以上のように、本実施形態によれば、蓄電部１３２に対する充電を充電レート決定部１３８によって決定した充電レートで行うことができる。これにより、顧客は、蓄電カード２−１〜２−（Ｎ＋１）を蓄電回収箱３Ａに接続してから最適店内滞在時間が経過するまでは、すなわち蓄電部１３２への充電が完了するまでは、店内に滞在しようと考えるようになる。ここで、上述したとおり、最適店内滞在時間において顧客の購買額は最大化するから、店舗にとっては、売り上げが向上するというメリットが期待できる。また、一般に充電可能なバッテリ（蓄電部１３２）に急速充電（例えば「１Ｃ」程度以上の充電レートによる充電）を行うと、バッテリの寿命が短くなる等の問題が生じるが、上記の最適店内滞在時間が急速充電をした場合の充電時間よりも長ければ、バッテリの寿命を劣化させる危険性を小さくすることができるという顧客側のメリットもある。
このように、本実施形態は、店舗側と顧客側の双方がメリットを享受できるという効果を奏するものである。
【０１６１】
ここで、本実施形態において、蓄電回収箱３Ａに顧客からの操作入力を受け付ける操作入力部（例えばタッチパネル）を設けて、顧客が操作入力部に自分の予定する店内滞在時間を入力するようにし、充電レート決定部１３８が当該入力された店内滞在時間で充電が完了するように充電レートを決定することとしてもよい。この場合さらに、顧客が入力した店内滞在時間が長いほど、多くのポイントを当該顧客に付与することとしてもよい。
【０１６２】
なお、本実施形態に係る蓄電回収システム１１における装置（例えば、発電グッズ１−１〜１−Ｎ、蓄電カード２−１〜２−（Ｎ＋１）、蓄電回収箱３，３Ａ、管理サーバー４、充放電ユニット５、ポイント利用装置６）の一部の機能、例えば、制御部（制御部１０５、１１５、制御部１２８、制御部１３７、充電レート決定部１３８、制御部１４５、制御部１５７、制御部１６２）の機能をコンピュータで実現するようにしてもよい。この場合、その制御機能を実現するためのプログラムをコンピュータ読み取り可能な記録媒体に記録し、この記録媒体に記録されたプログラムをコンピュータシステムに読み込ませて、このコンピュータシステムが実行することによって実現してもよい。
【０１６３】
なお、ここで言うコンピュータシステムとは、オペレーティング・システム（Ｏｐｅｒａｔｉｎｇ  Ｓｙｓｔｅｍ；ＯＳ）や周辺装置のハードウェアを含むものである。また、コンピュータ読み取り可能な記録媒体とは、例えば、フレキシブルディスク、光磁気ディスク、光ディスク、メモリカード等の可搬型記録媒体、コンピュータシステムに内蔵される磁気ハードディスクやソリッドステートドライブ等の記憶装置のことを言う。さらに、コンピュータ読み取り可能な記録媒体とは、インターネット等のコンピュータネットワークや、電話回線や携帯電話網を介してプログラムを送信する場合の通信回線のように、短時間の間、動的にプログラムを保持するもの、その場合のサーバー装置やクライアントとなるコンピュータシステム内部の揮発性メモリのように、一定時間プログラムを保持するものを含んでもよい。また、上記のプログラムは、前述した機能の一部を実現するためのものであってもよく、さらに、前述した機能をコンピュータシステムにすでに記録されているプログラムとの組み合わせにより実現するものであってもよい。
【０１６４】
以上、本発明の実施の形態について図面を参照して詳述したが、具体的な構成はその実施形態に限られるものではなく、本発明の要旨を逸脱しない範囲の設計等も含まれる。
【符号の説明】
【０１６５】
１１…蓄電回収システム
１−１〜１−Ｎ…発電グッズ  ２−１〜２−（Ｎ＋１）…蓄電カード  ３，３Ａ…蓄電回収箱
４…管理サーバー  ５…充放電ユニット  ６…ポイント利用装置  ７…施設内負荷
１０１…ＡＣ／ＤＣ変換部  １１１…ＤＣ／ＤＣ変換部
１０２、１１２、１２１、１３１、１５１…電力受電部
１０３、１１３、１２３、１３３、１５３…電力供給部
１０４、１１４、１２７、１３６、１５６、１６１…通信インターフェース
１０５、１１５、１２８、１３７、１５７、１６２…制御部
１２２、１３２、１５２…蓄電部  
１２４…ＩＤメモリ  １２５…蓄電量メモリ  １２６…ポイントメモリ
１３４、１５４…メモリ  １３５、１５５…情報表示部
１４１…蓄電情報データベース  １４２…ポイント情報データベース
１４３…その他情報データベース
１３８…充電レート決定部
【図１】
0006001878.tif 000002
【図２】
0006001878.tif 000003
【図３】
0006001878.tif 000004
【図４】
0006001878.tif 000005
【図５】
0006001878.tif 000006
【図６】
0006001878.tif 000007
【図７】
0006001878.tif 000008
【図８】
0006001878.tif 000009
【図９】
0006001878.tif 000010
【図１０】
0006001878.tif 000011
【図１１】
0006001878.tif 000012
【図１２】
0006001878.tif 000013
【図１３】
0006001878.tif 000014
【図１４】
0006001878.tif 000015
【図１５】
0006001878.tif 000016
【図１６】
0006001878.tif 000017
【図１７】
0006001878.tif 000018